(57)【要約】【課題】無線通信可能な情報記憶媒体への良好な書き込みができる媒体処理装置を得る。【解決手段】実施形態の媒体処理装置は、搬送部と、印字部と、第一無線通信装置と、移動機構と、を備えた。前記搬送部は、アンテナを有し前記アンテナによって無線通信を行う情報記憶媒体、を有した情報媒体を搬送する。前記印字部は、前記搬送部によって搬送された前記情報媒体に情報を印字する。前記第一無線通信装置は、前記搬送部によって搬送された前記情報媒体の前記情報記憶媒体に無線通信で情報を書き込む。前記移動機構は、前記搬送部によって搬送された前記情報媒体と前記第一無線通信装置との少なくとも一方を移動させて前記搬送部によって搬送された前記情報媒体と前記第一無線通信装置との間の無線通信距離を変更可能である。【選択図】図９
2015060297.tif 000002
【特許請求の範囲】
【請求項１】
アンテナを有し前記アンテナによって無線通信を行う情報記憶媒体、を有した情報媒体を搬送する搬送部と、
前記搬送部によって搬送された前記情報媒体に情報を印字する印字部と、
前記搬送部によって搬送された前記情報媒体の前記情報記憶媒体に無線通信で情報を書き込む第一無線通信装置と、
前記搬送部によって搬送された前記情報媒体と前記第一無線通信装置との少なくとも一方を移動させて前記搬送部によって搬送された前記情報媒体と前記第一無線通信装置との間の無線通信距離を変更可能な移動機構と、
を備えた媒体処理装置。
【請求項２】
前記移動機構は、
前記第一無線通信装置を、前記情報媒体の搬送方向と交差する方向に沿って往復動可能に支持した支持部と、
前記支持部に支持された前記第一無線通信装置を前記交差する方向に沿って移動させる駆動源と、
を有した請求項１に記載の媒体処理装置。
【請求項３】
前記情報記憶媒体を識別するための識別情報を取得する取得部と、
前記識別情報ごとに設定された前記第一無線通信装置と前記情報媒体との間の設定距離を示す情報を記憶した記憶部から、前記取得部が取得した前記識別情報に対応した前記設定距離を取得し、前記取得した前記設定距離を、前記搬送部によって搬送された前記情報媒体と前記第一無線通信装置との間の距離の目標距離として、前記移動機構を制御する位置調整部と、
を備えた請求項１または２に記載の媒体処理装置。
【請求項４】
搬送された前記情報媒体の前記情報記憶媒体に記憶された前記識別情報を無線通信によって読み出す第二無線通信装置を備え、
前記第一無線通信装置は、前記第二無線通信装置の前記情報媒体の搬送方向下流側に位置し、
前記取得部は、前記第二無線通信装置が読み出した前記識別情報を取得する、請求項３に記載の媒体処理装置。
【請求項５】
前記識別情報に設定された前記第一無線通信装置と前記情報媒体との間の設定距離を示す情報を記憶した情報記憶媒体に記憶された前記情報を取得し、取得した前記情報を前記記憶部に記憶させる記憶制御部を備えた請求項３に記載の媒体処理装置。
【発明の詳細な説明】
【技術分野】
【０００１】
本発明の実施形態は、媒体処理装置に関する。
【背景技術】
【０００２】
従来、印刷装置によってセキュリティ情報を含む固有記載情報が印刷される通帳において、通帳のセキュリティ性の重要性の向上を考える場合、固有記載情報が印刷される前の通帳そのものの盗難や、盗難に伴う偽変造などに対する対策が求められている。
【０００３】
その対策の一つとして、アンテナを有し無線通信可能な無線ＩＣを通帳に実装し、通帳の製造工程で、固有の情報を情報記憶媒体に付与しておくことが考えられる。この通帳類固有情報と、印刷装置によって後から印刷、記録するセキュリティ情報を含む固有記載情報の両方を同時に組み合わせて管理することで、未使用通帳の盗難で偽造された偽造通帳や変造された偽造通帳の発見がし易くなるとともに、通帳の偽造抑止にも効果がある。
【０００４】
この場合、さらには、通帳固有情報をそのまま、もしくは加工して、後から印刷するセキュリティ情報を含む固有記載情報の一部に加えて印刷、記録することが望ましい。
【先行技術文献】
【特許文献】
【０００５】
【特許文献１】特開２００４−１２６７１３号公報
【発明の概要】
【発明が解決しようとする課題】
【０００６】
しかしながら、従来技術においては、無線ＩＣの通信距離は、無線ＩＣの製造メーカや製造ロットによってばらつくため、無線ＩＣと印刷装置の無線ＩＣリーダライタとの距離を一定にして、無線ＩＣリーダライタによる磁界強度レベルをある所定のレベルにすると、特に大きな消費電力を必要とする情報の書き込み時において、書き込み処理が失敗するおそれがある。そこで、この種の印刷装置では、一例として、無線通信可能な無線ＩＣ（情報記憶媒体）への良好な書き込みができることが望まれている。
【課題を解決するための手段】
【０００７】
実施形態の媒体処理装置は、搬送部と、印字部と、第一無線通信装置と、移動機構と、を備えた。前記搬送部は、アンテナを有し前記アンテナによって無線通信を行う情報記憶媒体、を有した情報媒体を搬送する。前記印字部は、前記搬送部によって搬送された前記情報媒体に情報を印字する。前記第一無線通信装置は、前記搬送部によって搬送された前記情報媒体の前記情報記憶媒体に無線通信で情報を書き込む。前記移動機構は、前記搬送部によって搬送された前記情報媒体と前記第一無線通信装置との少なくとも一方を移動させて前記搬送部によって搬送された前記情報媒体と前記第一無線通信装置との間の無線通信距離を変更可能である。
【図面の簡単な説明】
【０００８】
【図１】図１は、実施形態にかかる印刷装置の構成の一例を示す構成図である。
【図２】図２は、実施形態にかかる冊子の一例を開いた状態で示す図である。
【図３】図３は、実施形態にかかる印刷装置の転写印刷部の一例を示す図である。
【図４】図４は、実施形態にかかる印刷装置の転写印刷部で用いられる転写フィルムの第一の例を示す図である。
【図５】図５は、実施形態にかかる印刷装置の転写印刷部で用いられる転写フィルムの第二の例を示す図である。
【図６】図６は、実施形態にかかる印刷装置の転写印刷部で用いられる転写フィルムの第三の例を示す図である。
【図７】図７は、実施形態にかかる印刷装置の転写印刷部の転写動作を示す図である。
【図８】図８は、実施形態にかかる印刷装置の転写動作中の転写印刷部の一部を示す図である。
【図９】図９は、実施形態にかかる印刷装置の移動機構の一例を示す斜視図である。
【図１０】図１０は、実施形態にかかる印刷装置の構成の一例を示すブロック図である。
【図１１】図１１は、実施形態にかかる印刷装置が実行する媒体作成処理の一例の流れを示すフローチャートである。
【図１２】図１２は、実施形態にかかる印刷装置による処理がされた情報媒体の一例を開いた状態で示す図である。
【発明を実施するための形態】
【０００９】
以下、図面を参照しながら、実施形態にかかる印刷装置について詳細に説明する。
【００１０】
図１に示した本実施形態の印刷装置１（媒体処理装置）は、一例として、冊子１００に情報を印刷等によって付与（記録）する処理を施す。本実施形態では、冊子１００は、情報媒体の一例である。
【００１１】
印刷装置１は、冊子取込部２（媒体供給部、取込部）を備えている。冊子取込部２には、冊子１００が閉じた状態で複数冊積層されてセットされ、冊子１００が一冊ずつ取り込まれるようになっている。取り込まれた冊子１００は、複数個の搬送ローラ対３によって搬送路４に沿って搬送される。複数個の搬送ローラ対３は、モータ（駆動源）によって駆動される。複数個の搬送ローラ対３は、モータとともに、冊子１００を搬送する冊子搬送部１５（搬送部）を構成している。搬送路４には、冊子１００の搬送方向（以下、単に搬送方向ともいう）に沿って、無線ＩＣ（Integrated  Circuit）リーダライタ５と、頁捲り部６、直接印刷部７と、中間転写印刷部８と、光学式文字読取部９（ＯＣＲ読取部）と、無線ＩＣリーダライタ１０と、が設けられている。つまり、本実施形態では、二つの無線ＩＣリーダライタ５，１０が、冊子１００の搬送方向に沿って相互に間隔をあけて設けられており、無線ＩＣリーダライタ５の冊子１００の搬送方向の下流側に無線ＩＣリーダライタ１０が位置している。
【００１２】
また、無線ＩＣリーダライタ１０の搬送方向下流側には、冊子１００の搬送方向を第１の方向と第２の方向に切り換える排出ゲート１１が設けられ、第１の方向には正常な冊子１００を集積させる正常集積部１２（第一集積部）が設けられ、第２の方向には不良な冊子を集積させる不良集積部１３（第二集積部）が設けられている。
【００１３】
また、図２に示すように、冊子１００は、一例として、冊子部１０１（本体）と、冊子部１０１に埋め込まれた無線ＩＣ１０２（情報記憶媒体、無線ＩＣタグ）と、を有している。本実施形態では、冊子１００は、一例として、通帳である。なお、冊子１００は、パスポート等であってもよい。
【００１４】
無線ＩＣ１０２は、一例として、アンテナ１０３と、アンテナ１０３に接続されたＩＣチップ１０４と、を有している。無線ＩＣ１０２は、一例として、冊子部１０１の表紙に埋め込まれている。アンテナ１０３は、一例として、冊子部１０１の表紙の周縁に沿って環状に配設されている。ＩＣチップ１０４は、一例として、ＣＰＵ（Central  Processing  Unit、図示せず）や記憶部１０２ａ（第一記憶部）、無線通信回路（図示せず）等を有している。記憶部１０２ａは、一例として、ＲＯＭ（Read  Only  Memory）やＲＡＭ（Random  Access  Memory）、ＥＥＰＲＯＭ（Electrically  Erasable  Programmable  Read  Only  Memory）等を含む。ＩＣチップ１０４は、アンテナ１０３を介して情報を送受信する。無線ＩＣ１０２は、アンテナ１０３を用いた無線通信によって記憶部１０２ａに対して情報が読み書きされる。また、本実施形態では、一例として、無線ＩＣ１０２の記憶部１０２ａは、冊子の固有情報（製造情報、識別情報）や該無線ＩＣ１０２の固有情報等を記憶している。冊子１００の固有情報には、例えば、「Ａ１Ｂ２Ｃ３Ｄ４Ｅ５」等のシリアル番号が含まれる。
【００１５】
次に、印刷装置１を詳細に説明する。
【００１６】
図１に示すように、直接印刷部７（印字部、描画部、印刷部）は、プラテンローラ１６と、プラテンローラ１６に対向して配置されたサーマルヘッド１７と、を有している。直接印刷部７は、プラテンローラ１６とサーマルヘッド１７との間に冊子１００およびインクリボン１８が介在した状態でサーマルヘッド１７が発熱することで感熱昇華式の印刷（印字、描画、印刷）を冊子１００に対して行う。
【００１７】
図３に示すように、中間転写印刷部８は、印刷部２１（情報印刷部）と、転写部２２（オーバーコート転写部）と、を有している。中間転写印刷部８は、一例として、カラー印刷が可能である。本実施形態では、中間転写印刷部８は、冊子搬送部１５によって搬送された冊子１００に情報を印字する印字部の一例である。
【００１８】
印刷部２１は、熱溶融印刷方式で印刷を行う。詳細には、印刷部２１は、プラテンローラ２５と、プラテンローラ２５に対向して配置されたサーマルヘッド２６と、を有している。プラテンローラ２５とサーマルヘッド２６との間には、相互に重ねられた熱転写インクリボン２７と中間転写フィルム２８とが供給される（介在する）。印刷部２１では、サーマルヘッド２６が、熱転写インクリボン２７を加熱して熱転写インクリボン２７のインクを中間転写フィルム２８の表面（一面）に転写することで、顔画像や各種情報等の画像を中間転写フィルム２８の表面に印刷する。熱溶融印刷方式は、画像の耐久性が高いとともに、インク材料に機能性材料（例えば、蛍光顔料やアルミ蒸着薄膜）を適用することが比較的容易であるため、一例として改ざん防止に効果を発揮する。このため、熱溶融印刷方式は、一例として、高いセキュリティ性が求められる情報媒体への印刷に適している。
【００１９】
熱転写インクリボン２７（熱溶融インクリボン、転写リボン）は、一例として、長尺状（帯状）の支持体の一方の面に、複数の熱溶融インク層として、イエローインク層、マゼンタインク層、シアンインク層、およびブラックインク層が、この順に並んで繰り返し形成されている。なお、各インク層の並びは、上記順番以外であってもよい。
【００２０】
熱転写インクリボン２７は、リボン供給部３０（供給部）によってプラテンローラ２５とサーマルヘッド２６との間に供給される。リボン供給部３０は、一例として、熱転写インクリボン２７の一端部が巻き付けられた送出軸３１（軸、コア）と、熱転写インクリボン２７の他端部が巻き付けられた巻取軸３２（軸、コア）と、巻取軸３２を回転駆動するモータ（駆動源、図示せず）と、を有している。リボン供給部３０では、一例として、モータによって回転駆動された巻取軸３２が、送出軸３１から送り出されてプラテンローラ２５とサーマルヘッド２６との間を通過した熱転写インクリボン２７を巻き取る。
【００２１】
中間転写フィルム２８は、フィルム供給部３５（供給部）によってプラテンローラ２５とサーマルヘッド２６との間に供給される。フィルム供給部３５は、一例として、中間転写フィルム２８の一端部が巻き付けられた送出軸３６（軸、コア）と、中間転写フィルム２８の他端部が巻き付けられた巻取軸３７（軸、コア）と、巻取軸３７を回転駆動するモータ（駆動源、図示せず）と、を有している。フィルム供給部３５では、一例として、モータによって回転駆動された巻取軸３７が、送出軸３６から送り出されてプラテンローラ２５とサーマルヘッド２６との間を通過した中間転写フィルム２８を巻き取る。また、本実施形態では、一例として、送出軸３６と巻取軸３７との間に位置された中間転写フィルム２８は、フィルム駆動ローラ３８とテンショナ３９とに掛け渡されている。フィルム駆動ローラ３８は、図示しないモータによって回転駆動されて、中間転写フィルム２８に搬送力を付与する。また、テンショナ３９は、図示しないばね機構を有し、所定の可動範囲内で中間転写フィルム２８にテンションを与えて、フィルム駆動ローラ３８と中間転写フィルム２８が常に適切に接触する状態を作り出す。フィルム供給部３５は、リボン供給部３０等とともに、リボン・フィルム搬送機構８ａを構成している。
【００２２】
転写部２２は、一例として、ヒートローラ４２（転写ローラ）と、ヒートローラ４２に対向して配置されたバックアップローラ４３と、を有している。ヒートローラ４２とバックアップローラ４３とは、中間転写フィルム２８の移動方向で、プラテンローラ２５とサーマルヘッド２６との下流に配置されている。これにより、ヒートローラ４２とバックアップローラ４３との間には、印刷部２１によって画像が形成された中間転写フィルム２８が介在する。ヒートローラ４２は、円周の一部が切り欠かれた形状を有している。ヒートローラ４２は、一例として金属製である。ヒートローラ４２は、加熱用のヒータ４２ａを内蔵している。ヒートローラ４２は、一例として、ＤＣサーボモータまたはステッピングモータにより正確に一定速度で回動駆動されつつ、ヒータ４２ａによって発生させた熱で中間転写フィルム２８を加熱する。また、バックアップローラ４３は、コイルばね４４の付勢力（ばね力）によってヒートローラ４２に向けて付勢される。
【００２３】
上記構成の転写部２２では、ヒートローラ４２が、ヒートローラ４２とバックアップローラ４３との間の転写位置に搬送された冊子１００の印刷面上に重ねられた中間転写フィルム２８を加熱することで、中間転写フィルム２８上の画像（インク２７ａ、図８参照）を冊子１００の印刷面に転写する。これにより、冊子１００の印刷面に画像が形成される。
【００２４】
また、中間転写印刷部８は、センサ４５，４６を有している。センサ４５，４６は、一例として、中間転写フィルム２８に設けられたホログラム位置を示すマークを検出する。この検出によって、中間転写フィルム２８の位置を把握することができる。
【００２５】
また、中間転写フィルム２８（中間転写媒体、中間転写リボン）としては、図４〜６に示す構成のものを例示することができる。
【００２６】
図４に示す中間転写フィルム２８は、基材としてのＰＥＴ（ポリエチレンテレフタレート）フィルム２８ａの表面に、透明樹脂によるホログラム形成層と金属化合物の蒸着層による透明ホログラム層２８ｂと、受像層兼接着層としてのポリエステル系樹脂２８ｃとが積層された構成である。
【００２７】
また、図５に示す中間転写フィルム２８は、基材としてのＰＥＴフィルム２８ａの表面に、剥離層としてのフェノキシ系樹脂２８ｄと、透明樹脂によるホログラム形成層と金属化合物の蒸着層による透明ホログラム層２８ｂと、受像層兼接着層としてのポリエステル系樹脂２８ｃとが積層された構成である。
【００２８】
また、図６に示す中間転写フィルム２８は、基材としてのＰＥＴフィルム２８ａの表面に、剥離層としてのフェノキシ系樹脂２８ｄと、保護層２８ｅと、透明樹脂によるホログラム形成層と金属化合物の蒸着層による透明ホログラム層２８ｂと、受像層兼接着層としてのポリエステル系樹脂２８ｃとが積層された構成である。
【００２９】
また、中間転写フィルム２８としては、紫外線によって発光する蛍光発色層などの機能層を設け、転写対象への転写と同時にこれらの機能層も転写するものであってもよい。
【００３０】
また、図１に示す無線ＩＣリーダライタ５，１０は、アンテナとアンテナに接続された回路基板（いずれも図示せず）とを有している。無線ＩＣリーダライタ５，１０は、電磁波を放射して無線ＩＣ１０２と無線通信し、情報記憶媒体１０２に対する情報の読み書きが可能である。無線ＩＣリーダライタ５，１０と無線ＩＣ１０２との間の無線通信は、一例として、ＲＦＩＤ（Radio  Frequency  Identification）で用いられる周波数を利用して行われる。本実施形態では、一例として、無線ＩＣリーダライタ５は、無線ＩＣリーダライタ５の無線通信領域に搬送された無線ＩＣ１０２から情報の読み出しを行い、無線ＩＣリーダライタ１０は、無線ＩＣリーダライタ１０の無線通信領域に搬送された無線ＩＣ１０２に対して情報の書き込みを行う。本実施形態では、無線ＩＣリーダライタ５は、第二無線通信装置の一例であり、搬送された冊子１００の無線ＩＣ１０２に記憶された該無線ＩＣ１０２の識別情報である冊子１００のシリアル番号を無線通信によって読み出す。また、無線ＩＣリーダライタ１０は、第一無線通信装置の一例であり、冊子搬送部１５によって搬送された冊子１００の無線ＩＣ１０２に無線通信で情報を書き込む。
【００３１】
また、本実施形態では、一例として、図９に示すように、無線ＩＣリーダライタ１０は、移動機構５０に支持されている。移動機構５０は、一例として、無線ＩＣリーダライタ１０を移動させて、冊子搬送部１５によって搬送された冊子１００と無線ＩＣリーダライタ１０との間の無線通信距離を変更可能である。なお、無線ＩＣリーダライタ１０は、冊子搬送部１５によって搬送された冊子１００を移動させて、冊子１００と無線ＩＣリーダライタ１０との間の無線通信距離を変更可能であってもよい。即ち、無線ＩＣリーダライタ１０は、冊子搬送部１５によって搬送された冊子１００と無線ＩＣリーダライタ１０との少なくとも一方を移動させて冊子搬送部１５によって搬送された冊子１００と無線ＩＣリーダライタ１０との間の無線通信距離を変更可能であってよい。
【００３２】
移動機構５０は、一例として、無線ＩＣリーダライタ１０を支持した支持部５１と、モータ５２（駆動源）と、を有している。支持部５１は、スライダ５３と、冊子１００の搬送方向と交差する方向にスライダ５３を案内するシャフト５４と、を有している。冊子１００の搬送方向と交差する方向は、一例として、直交方向であり、図１での上下方向Ｄである。スライダ５３は、無線ＩＣリーダライタ１０が上面に取り付けられた壁部５３ａと、この壁部５３ａと交差した壁部５３ｂと、壁部５３ｂに設けられた係部５３ｃと、を有している。係部５３ｃには、シャフト５４が挿入された孔５３ｄが設けられている。かかる構成の支持部５１は、冊子１００の搬送方向と交差する方向に無線ＩＣリーダライタ１０を往復動可能に支持している。シャフト５４は、印刷装置１の筐体に結合されている。また、係部５３ｃには、ラック５３ｅ（ギヤ）が設けられ、モータ５２の回転軸には、ピニオン５５（ギヤ）が設けられており、このピニオン５５とラック５３ｅとが噛み合っている。モータ５２は、例えば、ステッピングモータ（パルスモータ）等である。かかる構成では、モータ５２は、ピニオン５５を回転駆動することで、支持部５１に支持された無線ＩＣリーダライタ１０を、冊子１００の搬送方向と交差する方向に沿って移動させる。また、移動機構５０には、支持部５１（の壁部５３ｂ）を検出する検出センサ５６が設けられている。
【００３３】
また、本実施形態では、印刷装置１は、一例として、図１０に示すように、印刷装置１の各部を制御する制御部６０と、記憶部６１と、を備えている。制御部６０は、例えば、ＣＰＵ（Central  Processing  Unit）等によって構成されている。また、記憶部６１は、ＲＯＭやＲＡＭ、ＨＤＤ（Hard  Disk  Drive）等によって構成され、制御部６０が実行するプログラムや各種の情報を記憶している。記憶部６１は、一例として、設定距離情報（情報）を記憶している。設定距離情報は、冊子１００のシリアル番号ごとに設定された無線ＩＣリーダライタ１０と冊子１００との間の設定距離を示す情報である。つまり、設定距離情報は、冊子１００のシリアル番号と設定距離とを対応付けている。設定距離は、無線ＩＣリーダライタ１０と冊子１００との間の通信距離の最適距離に設定されている。ここで、冊子１００のシリアル番号は、無線ＩＣ１０２を識別するための識別情報の一例である。なお、無線ＩＣ１０２を識別するための識別情報としては、無線ＩＣ１０２の固有情報（シリアル番号、製造情報）であってもよい。
【００３４】
本実施形態では、一例として、制御部６０には、制御回路を介して、直接印刷画像処理部６２、中間転写画像処理部６３、ヒータ温度制御部６４、搬送制御部６５、画像形成制御部６６、光学式文字認識部６７、無線ＩＣ制御部６８、移動機構制御部６９、および情報読出制御部７０が接続されている。
【００３５】
直接印刷画像処理部６２には、サーマルヘッド１７の印字動作を制御するヘッド制御部７１が接続されている。中間転写画像処理部６３には、サーマルヘッド２６の印字動作を制御するヘッド制御部７２が接続されている。
【００３６】
ヒータ温度制御部６４には、制御回路を介して、ヒートローラ４２のヒータ４２ａが接続されている。搬送制御部６５には、制御回路を介して、冊子取込部２、冊子搬送部１５、頁検出部７３、頁捲り部６、および排出ゲート制御部７４が接続されている。排出ゲート制御部７４は、排出ゲート１１の位置を制御する。
【００３７】
画像形成制御部６６には、制御回路を介して、リボン・フィルム搬送機構８ａ、サーマルヘッド２６を移動させるヘッド昇降機構８ｂ、ヒートローラ４２を回転させるヒートローラ回転機構８ｃが接続されている。
【００３８】
光学式文字認識部６７には、光学式文字読取部９が接続されている。また、無線ＩＣ制御部６８には、無線ＩＣリーダライタ５，１０が接続されている。また、移動機構制御部６９には、移動機構５０が接続されている。
【００３９】
また、情報読出制御部７０には、情報読出部７５が接続されている。情報読出部７５は、一例として、情報を記憶した情報記憶媒体２００から情報の読み出しを行うものである。情報記憶媒体２００は、例えば、半導体メモリや、ＣＤ−ＲＯＭ（Compact  Disk  Read  Only  Memory）、フレキシブルディスク（ＦＤ）、ＣＤ−Ｒ（Compact  Disk  Recordable）等である。情報読出部７５は、情報を書き込み可能なものであってもよい。
【００４０】
また、制御部６０には、データ入力部８０（データ入力装置）が接続されている。データ入力部８０は、制御部８１、記憶部８２、インターフェース部８３、操作パネル８４、および画像入力部８５を有している。記憶部８２、インターフェース部８３、操作パネル８４、および画像入力部８５は、制御回路を介して、制御部８１と接続されている。
【００４１】
また、本実施形態では、一例として、制御部６０は、記憶部６０に記憶されたプログラムを実行することで、取得部６０ａ、位置調整部６０ｂ、記憶制御部６０ｃとして動作（機能）する。
【００４２】
取得部６０ａは、無線ＩＣ１０２を識別するための識別情報の一例である冊子１００のシリアル番号を取得する。一例として、取得部６０ａは、無線ＩＣリーダライタ５が読み出した冊子１００の識別情報を無線ＩＣリーダライタ５から取得（受信）する。
【００４３】
また、位置調整部６０ｂは、記憶部６１の設定距離情報から、取得部６０ａが取得した冊子１００のシリアル番号に対応した設定距離を取得（検索）し、取得した設定距離を、冊子搬送部１５によって搬送された冊子１００と無線ＩＣリーダライタ１０との間の距離の目標距離として、移動機構５０（のモータ５２）を制御する。これにより、無線ＩＣリーダライタ１０と冊子１００との無線通信距離が、設定距離に変更（調整）される。
【００４４】
記憶制御部６０ｃは、情報読出部７５を制御して、設定距離情報を記憶した情報記憶媒体２００に記憶された設定距離情報を取得し、取得した設定距離情報を記憶部６１に記憶させる。この設定距離情報は、冊子１００のシリアル番号（識別情報）に設定された無線ＩＣリーダライタ１０と冊子１００との間の設定距離を示す情報である。つまり、設定距離情報は、冊子１００のシリアル番号と設定距離とを対応付けている。
【００４５】
次に、印刷装置１の制御部６０が行う処理を図１１のフローチャートを参照しながら説明する。まず、制御部６０は、冊子取込部２を制御して、冊子取込部２から冊子１００を１冊ずつ搬送路４内に取り込んで（ステップＳ１）、取り込んだ冊子１００を冊子搬送部１５によって頁捲り部６に搬送する。次に、制御部６０は、頁捲り部６を制御して、冊子１００の表紙を捲って所定の頁を開く（ステップＳ２）。
【００４６】
次に、制御部６０は、冊子搬送部１５を制御して、開かれた状態の冊子１００を無線ＩＣリーダライタ５の通信領域に搬送する。そして、制御部６０は、取得部６０ａとして動作して、無線ＩＣリーダライタ５を制御し、冊子１００の無線ＩＣ１０２から、冊子１００のシリアル番号（製造情報）を含む冊子１００の固有情報を読み出して、該固有情報を無線ＩＣリーダライタ５から取得（受信）する（ステップＳ３）。この際、無線ＩＣ１０２からの情報の読み込み時は、無線ＩＣ１０２への情報の書き込み時ほど無線ＩＣ１０２の消費電力は必要とせず、無線ＩＣ１０２の製造メーカや製造ロットによる最適な通信距離のばらつきの影響が小さいため、ある所定（一定）の磁界強度レベルでの無線通信でも情報の読み込みが成功する。
【００４７】
次に、制御部６０は、位置調整部６０ｂとして動作して、無線ＩＣリーダライタ１０の位置を調整する処理を行う（ステップＳ４）。詳細には、制御部６０は、記憶部６１の設定距離情報から、ステップＳ３で取得した冊子１００のシリアル番号に対応した設定距離を取得（検索）する。そして、制御部６０は、取得した設定距離を、冊子搬送部１５によって搬送された冊子１００と無線ＩＣリーダライタ１０との間の距離の目標距離として、移動機構５０（のモータ５２）を制御し、無線ＩＣリーダライタ１０と冊子１００との無線通信距離を、設定距離に変更（調整）する。
【００４８】
次に、制御部６０は、画像形成処理を行う（ステップＳ５）。この際、制御部６０には、画像入力部８５で取得された冊子１００の所持人のカラー顔画像データ、および操作パネル８４で入力された所持人の記載固有情報としてのセキュリティ文字情報が送信される。制御部６０は、送信されてきたセキュリティ文字情報に冊子１００から無線ＩＣリーダライタ５で読み取った冊子１００の固有情報を加えた印刷データを生成し、この印刷データをカラー顔画像データとともに中間転写画像処理部６３に送信する。この際、図３に示すように、送出軸３６から中間転写フィルム２８が繰り出され、そのホログラム位置を示すマークがセンサ４５によって検出される。このマーク検出結果を用いて中間転写フィルム２８が印刷開始位置に制御される。そして、中間転写画像処理部６３に送信された印刷データとカラー顔画像データに基づいてサーマルヘッド２６が発熱して中間転写フィルム２８にセキュリティ文字情報と冊子１００の固有情報、さらに、カラー顔画像情報が印刷される。
【００４９】
このようにしてセキュリティ文字情報、冊子１００の固有情報、顔画像情報が印刷された中間転写フィルム２８は順方向（ヒートローラ４２の方向）に巻き取られ、図７の（ａ）に示すように経路途中のセンサ４６によって中間転写フィルム２８の位置が把握される。この把握結果に基づいて転写開始位置まで中間転写フィルム２８が送られる。
【００５０】
また、このとき、冊子１００は、転写される頁が開かれた状態で図７の（ｂ）に示すように取り込まれて、ヒートローラ４２に対して決められた位置に搬送される。転写される頁は、表紙見返し頁でも、他の中紙頁でもかまわない。
【００５１】
このように互いに位置決めされた中間転写フィルム２８と冊子１００の該当頁は、図７の（ｃ）に示すように、ヒートローラ４２の回転と共に合わされ、搬送と同時に加圧されるとともに加熱される。その後、図８に示すように、冊子１００に対して一例として６０°〜１１０°の角度をもってＰＥＴフィルム２８ａが引き上げられて、セキュリティ文字情報、冊子類固有情報、顔画像情報とともに、ポリエステル系樹脂２８ｃ、透明ホログラム層２８ｂの転写が完了し、図１２に示すように、セキュリティ情報１０５、冊子１００の固有情報１０６、所持人のカラー顔画像１０７が印刷される。なお、図８では、図４で示した構成の中間転写ファイル２８の場合が示されている。冊子１００の固有情報１０６は、一例として、シリアル番号（Ａ１Ｂ２Ｃ３Ｄ４Ｅ５）の例が示されている。
【００５２】
次に、制御部６０は、冊子搬送部１５を制御して、セキュリティ情報１０５、冊子１００の固有情報１０６、およびカラー顔画像１０７の印刷が完了した冊子１００を、図７（ｄ）に示すように、頁が開かれた状態のまま次の光学式文字読取部９に搬送する。
【００５３】
次に、制御部６０は、照合処理を行う（ステップＳ６）。詳細には、制御部６０は、光学式文字読取部９を制御して、冊子１００に印刷したセキュリティ情報１０５および冊子１００の固有情報１０６を読み取る。光学式文字読取部９で読み取られたセキュリティ情報１０５と冊子１００の固有情報１０６とは光学式文字認識部６７で認識され、この認識結果が制御部６０に送信される。制御部６０は、送信されてきた認識結果と、操作パネル８４で入力された入力情報および無線ＩＣ１０２から読み取られた冊子１００の固有情報とを照合する。制御部６０は、照合結果が合致した場合には、冊子１００は正常に作成されたものと判断して、冊子搬送部１５を制御して冊子１００を無線ＩＣリーダライタ１０に搬送する。
【００５４】
次に、制御部６０は、無線ＩＣリーダライタ１０を制御して、冊子１００の無線ＩＣ１０２に追記する情報を書き込む（ステップＳ７）。追記する情報は、例えば、セキュリティ情報等であってよい。この際、無線ＩＣリーダライタ１０の位置がステップＳ４で最適な位置に調整されているので、無線ＩＣリーダライタ１０による冊子１００の無線ＩＣ１０２への情報の書き込みが、失敗することが抑制される。なお、制御部６０は、冊子１００の無線ＩＣ１０２に追記すべき情報が無い場合には、無線ＩＣ１０２への書き込みを行わない。そして、制御部６０は、冊子搬送部１５を制御して、冊子１００を正常集積部１２に搬送する。
【００５５】
一方、制御部６０は、照合結果が合致しない場合は、何らかの原因から正常な印刷がされなかったものと判断して、排出ゲート制御部７４を制御して、冊子１００を不良集積部１３に振り分けるように排出ゲート１１を変位させる。このとき、制御部６０は、無線ＩＣリーダライタ１０によって無線ＩＣ１０２ヘアクセスしない、または冊子１００が不良であることを示す情報を無線ＩＣリーダライタ１０によって無線ＩＣ１０２へ書き込んで、冊子１００を不良集積部１３に搬送する。
【００５６】
また、上記の処理において、直接印刷部７によって、例えば、図１２での冊子１００の上側頁に、所持人セキュリティ情報に関係しない運用管理番号など、改ざんのメリットがなく、かつ下側頁には加えられない情報を印刷してよい。
【００５７】
以上説明したとおり、本実施形態では、移動機構５０が、冊子搬送部１５によって搬送された冊子１００と無線ＩＣリーダライタ１０との少なくとも一方（本実施形態では、無線ＩＣリーダライタ１０）を移動させて、冊子搬送部１５によって搬送された冊子１００と無線ＩＣリーダライタ１０との間の無線通信距離を変更可能である。したがって、本実施形態によれば、一例として、複数冊子１００の無線ＩＣ１０２の最適な無線通信距離（磁界強度）にばらつきがあっても、無線通信距離を変えることで最適な磁界強度になるように制御できるようになる。また、一例として、特に大きな消費電力を必要とする情報の書き込み処理においても書き込みが失敗することを抑制することができる。つまり、一例として、冊子１００の無線ＩＣ１０２への情報の書き込みを良好に行うことができる。さらに、印刷した後に情報の書き込みが失敗して冊子１００が廃棄されることを抑制することができるため、インクリボン１８、熱転写インクリボン２７、中間転写フィルム２８、冊子１００の無駄な消費を抑制することができる。
【００５８】
また、本実施形態では、移動機構５０は、無線ＩＣリーダライタ１０を、冊子１００の搬送方向と交差する方向に沿って往復動可能に支持した支持部５１と、支持部５１に支持された無線ＩＣリーダライタ１０を冊子１００の搬送方向と交差する方向に沿って移動させるモータ５２と、を有している。したがって、モータ５２の駆動力によって、無線ＩＣリーダライタ１０を移動させることができる。
【００５９】
また、本実施形態では、印刷装置１は、取得部６０ａと、位置調整部６０ｂと、を有している。取得部６０ａは、無線ＩＣ１０２を識別するための冊子１００のシリアル番号を取得する。位置調整部６０ｂは、冊子１００のシリアル番号ごとに設定された無線ＩＣリーダライタ１０と冊子１００との間の設定距離を示す設定距離情報を記憶した記憶部６１から、取得部６０ａが取得した冊子１００のシリアル番号に対応した設定距離を取得する。そして、位置調整部６０ｂは、取得した設定距離を、冊子搬送部１５によって搬送された冊子１００と無線ＩＣリーダライタ１０との間の距離の目標距離として、移動機構５０を制御する。したがって、本実施形態によれば、冊子１００と無線ＩＣリーダライタ１０と間の距離が自動で調整される。
【００６０】
また、本実施形態では、記憶制御部６０ｃが、冊子１００のシリアル番号に設定された無線ＩＣリーダライタ１０と冊子１００との間の設定距離を示す設定距離情報を記憶した情報記憶媒体２００に記憶されたその設定距離情報を取得し、取得した設定距離情報を記憶部６１に記憶させる（更新させる）。したがって、本実施形態によれば、設定距離情報が記憶部６１に記憶されていない新規の冊子１００の場合にも、その冊子１００の設定距離情報を読み出すことで、その冊子１００に対して無線ＩＣリーダライタ１０を最適な距離に移動させることができる。
【００６１】
本発明の実施形態を説明したが、上記実施形態は、例として提示したものであり、発明の範囲を限定することは意図していない。上記新規な実施形態は、その他の様々な形態で実施されることが可能であり、発明の要旨を逸脱しない範囲で、種々の省略、置き換え、変更を行うことができる。上記実施形態およびその変形は、発明の範囲や要旨に含まれるとともに、特許請求の範囲に記載された発明とその均等の範囲に含まれる。例えば、媒体処理装置は、情報媒体として運転免許証等のカードを対象とするカード処理装置（カード発行装置、カード形成装置）等であってもよい。
【符号の説明】
【００６２】
１…印刷装置（媒体処理装置）、５…無線ＩＣリーダライタ（第二無線通信装置）、７…直接印刷部、８…中間転写印刷部（印字部）、１０…無線ＩＣリーダライタ（第一無線通信装置）、１５…冊子搬送部（搬送部）、５０…移動機構、５１…支持部、５２…モータ（駆動源）、６０ａ…取得部、６０ｂ…位置調整部、６０ｃ…記憶制御部、６１…記憶部、１００…冊子（情報媒体）、１０２…無線ＩＣ（情報記憶媒体）、１０３…アンテナ、２００…情報記憶媒体。
【図１】
2015060297.tif 000003
【図２】
2015060297.tif 000004
【図３】
2015060297.tif 000005
【図４】
2015060297.tif 000006
【図５】
2015060297.tif 000007
【図６】
2015060297.tif 000008
【図７】
2015060297.tif 000009
【図８】
2015060297.tif 000010
【図９】
2015060297.tif 000011
【図１０】
2015060297.tif 000012
【図１１】
2015060297.tif 000013
【図１２】
2015060297.tif 000014